(57)【要約】【課題】バドミントンラケットを提供する。【解決手段】本発明に係るバドミントンラケットは、フレームと、グリップと、キャップと、シャフトと、を備える。グリップは把持部と、挿設部と、固定部材と、を含む。挿設部は把持部に連接される。挿設部は第一頂面及び第一開口部を有する。把持部及び挿設部の内部は互いに連通される中空構造である。固定部材は第一頂面に連接されると共に第一開口部から把持部の内部に向けて延伸される。キャップはグリップの挿設部に覆設される。キャップは第二頂面及び第二開口部を有する。第一頂面と第二頂面との間には間隔の長さを有し、キャップはキャップの長さを有する。キャップの長さに対する間隔の長さの比率は０．３９乃至０．８３の間の範囲である。シャフトの一端はフレームに連結され、他端は第二開口部及び第一開口部を順に貫通させて固定部材に挿設される。【選択図】図２
2020069388.tif 000002
【特許請求の範囲】
【請求項１】
フレームと、
グリップであって、
先端を有する把持部と、
前記把持部の前記先端に連接される挿設部であって、前記挿設部は第一頂面及び第一開口部を有し、前記第一開口部は前記第一頂面に位置され、前記把持部及び前記挿設部の内部は互いに連通される中空構造であることと、
前記第一頂面に連接されると共に前記第一開口部から前記把持部の内部に向けて延伸される固定部材と、をさらに含むことと、
前記グリップの前記挿設部に覆設され、第二頂面及び第二開口部を有し、前記第二開口部は前記第二頂面に位置され、前記第一頂面と前記第二頂面との間には間隔の長さを有し、キャップの長さを有し、前記キャップの長さに対する前記間隔の長さの比率は０．３９乃至０．８３の間の範囲であるキャップと、
一端が前記フレームに連結され、他端は前記第二開口部及び前記第一開口部を順に貫通させて前記固定部材に挿設されるシャフトと、を備えることを特徴とするバドミントンラケット。
【請求項２】
前記間隔の長さは１７ｍｍ乃至３０ｍｍの間の範囲であることを特徴とする請求項１に記載のバドミントンラケット。
【請求項３】
前記固定部材は前記挿設部及び前記把持部の内部に位置されることを特徴とする請求項１に記載のバドミントンラケット。
【請求項４】
前記グリップの長さに対する前記固定部材の長さの比率は０．５９乃至０．７９の間の範囲であることを特徴とする請求項３に記載のバドミントンラケット。
【請求項５】
前記グリップは前記グリップに内設される複数の支持部材を有し、これら前記支持部材は前縁及び後縁をそれぞれ有し、前記前縁は前記挿設部の内側壁に連接され、前記後縁は前記固定部材の外側壁及び前記把持部の内側壁に連接されることを特徴とする請求項３に記載のバドミントンラケット。
【請求項６】
前記支持部材は前記前縁に位置される凹部を有し、前記凹部は所定の長さ及び所定の広さを有することを特徴とする請求項５に記載のバドミントンラケット。
【請求項７】
前記所定の長さは１０ｍｍ乃至２０ｍｍの間の範囲であり、前記所定の広さは０．３ｍｍ乃至２ｍｍの間の範囲であることを特徴とする請求項６に記載のバドミントンラケット。
【請求項８】
前記凹部は前記前縁から前記後縁に向けて延伸される切り口であることを特徴とする請求項６に記載のバドミントンラケット。
【請求項９】
前記支持部材の前記後縁は傾斜角であることを特徴とする請求項５に記載のバドミントンラケット。
【請求項１０】
前記支持部材は前記把持部の前記内側壁に連接される連接用側面を有し、前記後縁と前記連接用側面との間には１５度乃至４５度の間の範囲の所定の角度を有することを特徴とする請求項９に記載のバドミントンラケット。
【請求項１１】
前記所定の角度は３０度であることを特徴とする請求項１０に記載のバドミントンラケット。
【発明の詳細な説明】
【技術分野】
【０００１】
本発明は、バドミントンラケットに関し、更に詳しくは、バドミントンラケットのグリップ構成に関する。
【背景技術】
【０００２】
バドミントン競技は盛んに行われているラケットスポーツであり、その競技方式は選手がバドミントンラケットを使用してバドミントンを打って競うものである。バドミントンラケットの主要構造としてフレームと、シャフトと、グリップと、を備え、シャフトを介してフレーム及びグリップが連結される。一般的には、バドミントンラケットのグリップは材質の違いによって木製グリップ及び人工グリップに分けられる。人工グリップには炭素繊維材質が常用されている。打球する場合、木製グリップを使用した方が手応えを感じやすく、これを以下では打球感という。
【発明の概要】
【発明が解決しようとする課題】
【０００３】
しかしながら、木の重量は不安定であり、且つ生産量も安定しないため、材料不足に陥りやすい。このため、人工グリップが誕生した。現在最も普及する人工グリップは炭素繊維材質を採用しており、軽量化を達成し、フレーム、シャフト、及びグリップが一体成形されるように形成されている。例えば、打球する場合、シャフト及びグリップの相対位置が固定されており、シャフトに可動の緩衝空間がないので、シャフトの可動性（自由度）が低下し、打球感が悪化し、且つ構造強度も低下した。
【０００４】
そこで、本発明者は上記の欠点が改善可能と考え、鋭意検討を重ねた結果、すなわち、人工グリップのバドミントンラケットにより、木製グリップが直面する木の重量、生産量の不安定さ、及び従来の人工グリップがシャフトの性能を効果的に発揮できず打球感が悪化するという問題を解決させる。
【０００５】
かかる従来の実情に鑑みて、本発明は、バドミントンラケットを提供することを目的とする。換言すれば、挿設部とキャップとの間の間隔の長さを増やすことでシャフトの動く自由度を高めることにより、従来の人工グリップがシャフトの性能を発揮できず打球感が悪化するという問題を解決させる。
【課題を解決するための手段】
【０００６】
上記課題を解決するために、本発明のある態様のバドミントンラケットは、フレームと、グリップと、キャップと、シャフトと、を備える。グリップは把持部と、挿設部と、固定部材と、を含む。把持部は先端を有する。挿設部は把持部の先端に連接される。挿設部は第一頂面及び第一開口部を有し、第一開口部は第一頂面に位置される。把持部及び挿設部の内部は互いに連通される中空構造である。固定部材は第一頂面に連接されると共に第一開口部から把持部の内部に向けて延伸される。キャップはグリップの挿設部に覆設される。キャップは第二頂面及び第二開口部を有し、第二開口部は第二頂面に位置される。第一頂面と第二頂面との間には間隔の長さを有し、キャップはキャップの長さを有する。キャップの長さに対する間隔の長さの比率は０．３９乃至０．８３の間の範囲である。シャフトの一端はフレームに連結され、他端は第二開口部及び第一開口部を順に貫通させて固定部材に挿設される。
【０００７】
本発明の好適例において、間隔の長さは１７ｍｍ乃至３０ｍｍの間の範囲である。
【０００８】
本発明の好適例において、固定部材は挿設部及び把持部の内部に位置される。
【０００９】
本発明の好適例において、グリップの長さに対する固定部材の長さの比率は０．５９乃至０．７９の間の範囲である。
【００１０】
本発明の好適例において、グリップはグリップに内設される複数の支持部材を有する。これら前記支持部材は前縁及び後縁をそれぞれ有し、前縁は挿設部の内側壁に連接され、後縁は固定部材の外側壁及び把持部の内側壁に連接される。
【００１１】
本発明の好適例において、支持部材は前縁に位置される凹部を有し、凹部は所定の長さ及び所定の広さを有する。
【００１２】
本発明の好適例において、所定の長さは１０ｍｍ乃至２０ｍｍの間の範囲であり、所定の広さは０．３ｍｍ乃至２ｍｍの間の範囲である。
【００１３】
本発明の好適例において、凹部は前縁から後縁に延伸される切り口である。
【００１４】
本発明の好適例において、支持部材の後縁は傾斜角である。
【００１５】
本発明の好適例において、支持部材は把持部の内側壁に連接される連接用側面を有し、後縁と連接用側面との間には所定の角度を有し、所定の角度は１５度乃至４５度の間の範囲である。
【００１６】
本発明の好適例において、所定の角度は３０度である。
【発明の効果】
【００１７】
本発明に係るバドミントンラケット及びそのグリップによれば、グリップの挿設部とキャップとの間の間隔の長さが定義されることにより、キャップの長さに対する間隔の長さの比率が０．３９乃至０．８３の間の範囲となる。換言すれば、キャップとグリップとの間の空間を増やす。使用者は本発明に係るバドミントンラケット（或いは、本発明に係るグリップが適用されるバドミントンラケット）を使用して打球すると、シャフトの可動の緩衝空間が増加しているため、バドミントンラケットの打球感が高まる。
【図面の簡単な説明】
【００１８】
【図１】本発明の第１実施形態に係るバドミントンラケットを示す概略図である。
【図２】図１に示すバドミントンラケットを示す分解概略図である。
【図３】図２に示すグリップの断面概略図である。
【図４】従来の木製グリップと図３に示すグリップとキャップの一部を示す断面概略図である。
【図５Ａ】図３に示す領域Ａの拡大概略図である。
【図５Ｂ】図３に示す領域Ｂの拡大概略図である。
【図６Ａ】本発明の第２実施形態に係るグリップを示す概略図である。
【図６Ｂ】図６Ａに示す領域Ａの拡大概略図である。
【図６Ｃ】図６Ａに示す領域Ｂの拡大概略図である。
【図７Ａ】本発明の第１実施形態と第２実施形態に係るグリップの打球感を示す表である。
【図７Ｂ】本発明の第１実施形態に係るグリップと木製グリップの打球感を示す表である。
【発明を実施するための形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【第１実施形態】
【００２０】
図１は本発明の第１実施形態に係るバドミントンラケットを示す概略図であり、図２は図１に示すバドミントンラケットを示す分解概略図である。本実施形態に係るバドミントンラケット１は、フレーム１０と、グリップ２０と、キャップ３０と、シャフト４０と、を備える。シャフト４０の一端はフレーム１０に連結され、他端はキャップ３０及びグリップ２０に連結される。本実施形態に係るグリップ２０は把持部２１と、挿設部２２と、固定部材２３と、を含む。把持部２１は先端２１１を有し、挿設部２２は把持部２１の先端２１１に連接される。より詳しくは、本実施形態では、グリップ２０の円柱体に類する部分が把持部２１と呼ばれ、且つ把持部２１の先端２１１が連接される平頂円錐体に類する部分が挿設部２２と呼ばれる。把持部２１は使用者が把持するために用いられ、挿設部２２にはキャップ３０が覆設される。よって、挿設部２２の形状はキャップ３０の形状に相互に適合する。
【００２１】
図３は図２に示すグリップを示す断面概略図である。ちなみに、図３に示すグリップ２０も本発明の第１実施形態に係るグリップ２０である。本実施形態では、把持部２１及び挿設部２２の内部は互いに連通される中空構造であり、これにより軽量化を達成させる。また、挿設部２２は第一頂面２２１及び第一開口部２２２を有し、第一頂面２２１は把持部２１の先端２１１の対向する側面に位置され、すなわち、把持部２１から離れる一側に位置される。第一開口部２２２は第一頂面２２１に位置され、すなわち、第一開口部２２２は第一頂面２２１に開設され、シャフト４０が第一開口部２２２を貫通させて挿設部２２及び把持部２１の内部の中空構造に進入する。
【００２２】
固定部材２３は第一頂面２２１に連接されると共に第一開口部２２２から把持部２１の内部に向けて延伸される。換言すれば、固定部材２３の先端は挿設部２２に連接され、他の部分は挿設部２２及び把持部２１の内部に位置される。また、本実施形態の固定部材２３は管状構造であり、シャフト４０が収容される（後述する）。好ましくは、グリップ２０の長さＬ２に対する固定部材２３の長さＬ１の比率は０．５９乃至０．７９の間の範囲である。例えば、固定部材２３の長さＬ１が１１０ｍｍであり、グリップ２０の長さＬ２が１６５ｍｍ乃至１８５ｍｍの間の範囲である。
【００２３】
キャップ３０は中空の平頂円錐体に相似し、且つ内径はグリップ２０の挿設部２２よりやや大きく、キャップ３０がグリップ２０の挿設部２２に覆設可能となる。また、キャップ３０は第二頂面３１及び第二開口部３２を有し、第二開口部３２は第二頂面３１に位置される。なお、フレーム１０及びシャフト４０は一体構造であり、シャフト４０の一端がフレーム１０に固定される。キャップ３０がグリップ２０の挿設部２２に取り付けられた後、シャフト４０の他端が第二開口部３２及び第一開口部２２２を順に貫通させて固定部材２３に挿設され、且つ固定部材２３内に収容される。固定部材２３によりシャフト４０が固定されるため、使用者が本実施形態に係るバドミントンラケット１で打球すると、シャフト４０が受ける力が固定部材２３に分散し、応力が集中しなくなり、構造強度が高まり、バドミントンラケット１の打球感も向上する。
【００２４】
図４は従来の木製グリップと図３に示すグリップとキャップの一部を示す断面概略図である。まず、木製グリップ９０を例に説明する。木製グリップ９０は把持部９１及び挿設部９２を有する。一般的には、キャップ８０が木製グリップ９０の挿設部９２に覆設された後、キャップ８０と挿設部９２との間に部分的な空間が残される。換言すれば、キャップ８０の頂面と挿設部９２の頂面との間に間隔の長さＳ１を有する。一般的には、キャップ８０のキャップの長さＣ１は３６ｍｍ乃至４３．５ｍｍの間の範囲であり、本実施形態では４１ｍｍを例とし、間隔の長さＳ１は約９ｍｍである。
【００２５】
本実施形態では、キャップ３０とグリップ２０との間の空間を増やすことにより、シャフト４０の可動の緩衝空間を増加させ、こうして打球感を高める。具体的には、本実施形態に係る第一頂面２２１と第二頂面３１との間には間隔の長さＳ２を有し、キャップ３０はキャップの長さＣ２を有する。キャップの長さＣ２に対する間隔の長さＳ２の比率は０．３９乃至０．８３の間の範囲である。ちなみに、本実施形態に係るキャップ３０のサイズ及び規格は従来のキャップ８０とほぼ同じであり、よって、キャップの長さＣ２は３６ｍｍ乃至４３．５ｍｍの間の範囲であり、本実施形態では４１ｍｍを例とし、且つ本実施形態による間隔の長さＳ２は１７ｍｍ乃至３０ｍｍの間の範囲とする。
【００２６】
本実施形態に係るグリップ２０の製造において、グリップ２０の挿設部２２の長さを減らすことにより前述の間隔の長さＳ２とキャップの長さＣ２との比率の制限を達成させる。例えば、木製グリップ９０の挿設部９２の長さを１と定義する場合、本実施形態による挿設部２２の長さは０．５まで減らす。すなわち、本実施形態の挿設部２２の長さは従来の挿設部９２の長さの１／２とする。
【００２７】
図３に示されるように、グリップ２０はグリップ２０に内設される複数の支持部材２４を更に有し、支持部材２４の１つの側面は挿設部２２の内側壁２２３及び把持部２１の内側壁２１２に連接され、支持部材２４の他の側面は固定部材２３の外側壁２３１に連接される。図５Ａは図３に示す領域Ａの拡大概略図であり、図５Ｂは図３に示す領域Ｂの拡大概略図である。複数の支持部材２４は前縁２４１（図５Ａ参照）及び後縁２４２（図５Ｂ参照）をそれぞれ有する。好ましくは、本実施形態に係る支持部材２４の前縁２４１は挿設部２２の内側壁２２３にのみ連接され、固定部材２３ａの外側壁２３１には連接されない。支持部材２４の後縁２４２は同時に固定部材２３の外側壁２３１及び把持部２１の内側壁２１２に連接される。換言すれば、本実施形態に係る支持部材２４は前縁２４１に位置される凹部２４３を有する。凹部２４３は所定の長さＬ３及び所定の広さＷを有し、所定の長さＬ３は１０ｍｍ乃至２０ｍｍの間の範囲であり、所定の広さＷは０．３ｍｍ乃至２ｍｍの間の範囲である。好ましくは、所定の広さＷは０．６５ｍｍ乃至１.２６ｍｍの間の範囲である。
【第２実施形態】
【００２８】
他の実施形態では、支持部材２４ａも完全な構造であり、図６Ａは本発明の第２実施形態に係るグリップ２０ａを示す概略図であり、図６Ｂは図６Ａに示す領域Ａの拡大概略図であり、図６Ｃは図６Ａに示す領域Ｂの拡大概略図である。本実施形態では、支持部材２４ａの前縁２４１ａ及び後縁２４２ａは共に固定部材２３ａの外側壁２３１ａに連接される。より詳しくは、前縁２４１ａは挿設部２２ａの内側壁２２３ａ及び固定部材２３ａの外側壁２３１ａに連接され、後縁２４２ａは把持部２１ａの内側壁２１２ａ及び固定部材２３ａの外側壁２３１ａに連接される。
【００２９】
図５Ｂ及び図６Ｃに示されるように、好ましくは、第１実施形態及び第２実施形態に係る支持部材２４、２４ａの後縁２４２、２４２ａは傾斜角２４４、２４４ａであり、以下、第１実施形態に係るグリップ２０を例に説明する。具体的には、支持部材２４は把持部２１の内側壁２１２に連接される連接用側面２４５を有し、すなわち、支持部材２４及び把持部２１の内側壁２１２が相互に連接される側面を連接用側面２４５と呼ぶ。後縁２４２と連接用側面２４５との間には所定の角度θを有し、且つ所定の角度θは１５度乃至４５度の間の範囲である。好ましくは、所定の角度θを３０度とする。
【００３０】
製造においては、まず射出成形方式により第２実施形態に係るグリップ２０ａを製造した後、完全な支持部材２４ａを有し、中空円柱状の治具により支持部材２４ａの前縁２４１ａに凹部２４３を形成し、第１実施形態に係るグリップ２０を形成させる。より詳しくは、密度０．９ｇ／ｃｍ３乃至１．４６ｇ／ｃｍ３の間の範囲のプラスチック材料で射出成形により第２実施形態に係るグリップ２０ａを製造する。換言すれば、一体成形方式で把持部２１ａ、挿設部２２ａ、固定部材２３ａ、及び（完全な）支持部材２４ａを形成させる。図６Ａに示されるように、更に、中空円柱状の治具を第一開口部２２２ａから挿設部２２ａ内に挿入させ、回転方式により支持部材２４ａの前縁２４１ａを破壊して第１実施形態に係るグリップ２０及びその支持部材２４を製造し、且つ第１実施形態に係る支持部材２４が前縁２４１から後縁２４２に向けて延伸される切り口を有する。換言すれば、中空円柱状の治具で製造される切り口を凹部２４３とする。ちなみに、治具の外径は挿設部２２ａの第一開口部２２２ａの内径よりやや小さく、治具の内径は固定部材２３ａの外径よりやや大きく、中空円柱状の治具が挿設部２２ａ内に挿入可能になり、且つ固定部材２３ａの外側に覆設される。
【００３１】
第１実施形態及び第２実施形態に係るグリップ２０、２０ａがバドミントンラケットに適用された後、複数の使用者によって試用が行われ、使用者の試用結果が得られる（図７Ａ参照）。図７Ａは本発明の第１実施形態と第２実施形態に係るグリップの打球感を示す表である。一般的なバドミントンラケットのテストでは、選手（使用者）が打球した後に硬度、力の伝達、手の震え、及び快適度等の項目について評価を行い、満点は９点とする。硬度に関しては、硬めまたは適度な打球感が攻撃に適し、図７Ａから分かるように、第１実施形態に係るグリップ２０を使用して打球すると、その硬度は第２実施形態に係るグリップ２０ａに比べて硬く、より攻撃に適する。力の伝達に関しては、点数が高いほど伝達効果が高いことを示し、第１実施形態に係るグリップ２０の伝達効果は第２実施形態に係るグリップ２０ａよりも優れている。手の震えに関しては、点数が高いほど手が震えにくいことを示し、第１実施形態に係るグリップ２０は第２実施形態に係るグリップ２０ａに比べてより手が震えにくいことを示し、使用者がバドミントンをコントロールしやすいことを示す。また、快適度も第１実施形態に係るグリップ２０は第２実施形態に係るグリップ２０ａよりも優れている。第１実施形態に係るグリップ２０は全体的に第２実施形態に係るグリップ２０ａよりも優れており、これは第１実施形態の支持部材２４の前縁２４１が挿設部２２の内側壁２２３にのみ連接され、固定部材２３の外側壁２３１には連接されないためである。すなわち、支持部材２４の前縁２４１に凹部２４３が形成され、支持部材２４が不完全な設計であるため、シャフトの可動の緩衝空間が増加し、第１実施形態に係るグリップ２０の打球感が第２実施形態に係るグリップ２０ａに勝る。
【００３２】
続いて、打球感が好ましいグリップ２０（第１実施形態参照）及び木製グリップ９０について使用満足度をテストする（図７Ｂ参照）。図７Ｂは本発明の第１実施形態に係るグリップ２０と木製グリップ９０の打球感を示す表である。図７Ｂから分かるように、第１実施形態に係るグリップ２０を使用して打球すると、その硬度は木製グリップ９０よりも硬く、より攻撃に適している。また、第１実施形態に係るグリップ２０の力の伝達効果、手の震え、及び快適度も全て木製グリップ９０よりも優れている。ちなみに、第２実施形態に係るグリップ２０ａ及び木製グリップ９０の使用満足度のテスト表は列記していないが、図７Ａ及び図７Ｂに示される結果を総合すればグリップ２０ａ（第２実施形態参照）が達成させる打球感が木製グリップ９０とほぼ同じであることを推定できる。
【００３３】
また、本発明に係る他のグリップは、バドミントンラケットのシャフトに連結される。グリップはキャップと、中空部と、固定部材と、を備え、その連接関係は上述の実施形態に係るグリップ２０、２０ａを参照し、その説明を省略する。
【００３４】
以上を総合すると、本発明に係るバドミントンラケット及びそのグリップは、グリップの挿設部とキャップとの間の間隔の長さが定義されることにより、キャップの長さに対する間隔の長さの比率が０．３９乃至０．８３の間の範囲となる。換言すれば、キャップとグリップとの間の空間が増加する。使用者が本発明に係るバドミントンラケット（または本発明に係るグリップが適用されるバドミントンラケット）で打球すると、シャフトの可動の緩衝空間が増加するため、バドミントンラケットの打球感も高まる。
【００３５】
なお、グリップは複数の支持部材を更に有し、且つ支持部材の前縁が挿設部の内側壁にのみ連接され、前縁に凹部が形成される。この設計によりシャフトの可動の緩衝空間が更に増加し、バドミントンラケットの打球感が木製グリップよりも優れる。
【００３６】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良または変更は、後述の請求項に含まれるものとする。
【符号の説明】
【００３７】
１  バドミントンラケット
１０  フレーム
２０  グリップ
２０ａ  グリップ
２１  把持部
２１ａ  把持部
２１１  先端
２１２  内側壁
２１２ａ  内側壁
２２  挿設部
２２ａ  挿設部
２２１  第一頂面
２２２  第一開口部
２２２ａ  第一開口部
２２３  内側壁
２２３ａ  内側壁
２３  固定部材
２３ａ  固定部材
２３１  外側壁
２３１ａ  外側壁
２４  支持部材
２４ａ  支持部材
２４１  前縁
２４１ａ  前縁
２４２  後縁
２４２ａ  後縁
２４３  凹部
２４４  傾斜角
２４４ａ  傾斜角
２４５  連接用側面
２４５ａ  連接用側面
３０  キャップ
３１  第二頂面
３２  第二開口部
４０  シャフト
８０  キャップ
９０  木製グリップ
９１  把持部
９２  挿設部
Ａ  領域
Ｂ  領域
Ｓ１  間隔の長さ
Ｓ２  間隔の長さ
Ｃ１  キャップの長さ
Ｃ２  キャップの長さ
Ｌ１  長さ
Ｌ２  長さ
Ｌ３  所定の長さ
Ｗ  所定の広さ
θ  所定の角度
【図１】
2020069388.tif 000003
【図２】
2020069388.tif 000004
【図３】
2020069388.tif 000005
【図４】
2020069388.tif 000006
【図５Ａ】
2020069388.tif 000007
【図５Ｂ】
2020069388.tif 000008
【図６Ａ】
2020069388.tif 000009
【図６Ｂ】
2020069388.tif 000010
【図６Ｃ】
2020069388.tif 000011
【図７Ａ】
2020069388.tif 000012
【図７Ｂ】
2020069388.tif 000013